(57)【要約】【課題】  従来、くず石鹸は網袋に入れて使うとか、放置あるいは廃却していた。既に、くず石鹸の再生箱も発明されているが（例えば特許文献１参照）、製作コストが高いとか使い方が面倒など、余り実用的でない。現実に今もって市場に出回っているくず石鹸再生箱なる物は見かけない。【解決手段】  本発明のくず石鹸再生ケースは、製造に係わるコストを安くすることが出来、安い価格で販売出来、消費者は手軽に購入できる。又、くず石鹸の再生方法も簡単な上に使いやすい形に再生出来る。【選択図】図１
2012062382.tif 000002
【特許請求の範囲】
【請求項１】
上方の開口部からくず石鹸を投入し蓄積する事の出来る本体容器と、本体容器の中に蓄積されたくず石鹸を圧縮する事の出来る押し蓋から構成される構造のくず石鹸再生ケース。
【請求項２】
前記本体容器の内側に容器の底から開口部に向かって序々に広がるように全周に勾配を付けた構造の請求項１のくず石鹸再生ケース。
【請求項３】
前記本体容器の開口部分全周を厚くした構造の請求項１又は２の、くず石鹸再生ケース。
【請求項４】
前記、本体容器底部に水抜き穴を明けた構造の請求項１から３のいずれか一つの、くず石鹸再生ケース。
【請求項５】
前記、本体容器底部外面にくぼみを付けた構造の請求項１から４のいずれか一つの、くず石鹸再生ケース。
【請求項６】
前記、くず石鹸再生ケースの押し蓋のつまみ部分には、つまみ上部が小さくなるよう外径に勾配をつけた構造の請求項１から５のいずれか一つの、くず石鹸再生ケース。
【請求項７】
前記、押し蓋の上面に、くぼみを作った構造の請求項１から６のいずれか一つの、くず石鹸再生ケース。
【請求項８】
前記、押し蓋の下面に、くぼみを作った構造の請求項１から７のいずれか一つの、くず石鹸再生ケース。
【請求項９】
前記、押し蓋に外縁枠を設けた構造の請求項１から８のいずれか一つの、くず石鹸再生ケース。
【請求項１０】
前記、押し蓋に孔を明けた構造の請求項１から９のいずれか一つの、くず石鹸再生ケース。
【発明の詳細な説明】
【技術分野】
【０００１】
本発明は、使用して小さくなり、使いづらくなったくず石鹸を使い易い大きさに再生することの出来る、くず石鹸再生ケースに関する。
【背景技術】
【０００２】
従来、くず石鹸の使用方法は新しい石鹸に無理やりくっ付けようとしたり（なかなかくっ付かない）、網袋に入れたりして使っている。特許文献１に示すように再生して使用する方法も考えられてはいる。しかし家庭や会社で普及しているものは無い。
【先行技術文献】
【特許文献】
【０００３】
【特許文献１】米国特許６,１０６,２７０
【発明の概要】
【発明が解決しようとする課題】
【０００４】
石鹸は、使っているうちに段々小さくなり、余り小さくなると使いづらくなる。使いづらくなった石鹸は石鹸箱の底や洗面具籠に放置されている。あるいは捨てられる。会社の手洗い場には、薄っぺらになった小さな石鹸がいつも置かれているのをよく見かける。
【０００５】
使いづらいから使わない。だから新しい石鹸を使う。わずかな量と思われるかもしれないが毎日使うものだから家族や社員が多いとばかにならない。捨ててしまえば資源の節約に逆行する。世界の全家庭、全会社規模で考えれば相当な量になる。従って、このくず石鹸を使いやすい形に再生する。
【０００６】
背景技術に述べた従来のくず石鹸の圧搾機は、水道の蛇口に取り付け、水道の水圧を利用し、シリンダーやピストン、その他いくつかの部品を取り付けるなど大掛かりな物となっている。くず石鹸をくっ付け合わす為の水やお湯は使ってない。このくず石鹸再生箱が普及しないのは大掛かりで製造コストが高くなるうえにセットに手間がかかるからである。再生石鹸の出来ばえにも疑問が残る。
【０００７】
本発明のくず石鹸再生ケースは、小さくなって使いづらくなった石鹸を使いやすい大きさに再生して使いやすさを取り戻し、いつまでも捨てることなく家庭や会社の経費節減と、資源の節約に寄与する。
【課題を解決するための手段】
【０００８】
くず石鹸を新品の石鹸に近い状態に再生して使いやすくし、購入した石鹸を１００％使い切るようにする。
【０００９】
本発明の、くず石鹸再生ケースは、上記目的を達成するために家庭の誰でも、又会社の掃除婦さんでも、誰でも簡単に使えることを重点に考案した。
【００１０】
本発明のくず石鹸再生ケースは、小さくなって使いづらくなった石鹸を投入し蓄積していく本体容器（図１，２，５，６，７）と、本体容器に挿入し本体容器に蓄積されたくず石鹸を押し付けて圧縮する為の押し蓋（図１，２，３，４）から構成する。
【００１１】
本発明の、くず石鹸再生ケースは、上記の如く本体容器と押し蓋から構成されるが、いずれも製造が簡単で製造コストが安価である。
【００１２】
くず石鹸の再生方法は、本体容器に蓄積されたくず石鹸に水又はお湯を注ぎ、押し蓋をしてくず石鹸を押し付け、２日程で一体となったくず石鹸が固まる迄１０日程乾燥させた後、固まったくず石鹸を本体容器から取り出す、至って簡単な方法である。
【００１３】
上記課題解決手段による作用は次の通りである。
本体容器に蓄積されたくず石鹸は水又はお湯を注ぐ事により柔らかくなり、２日ほどでくっ付き合い一体となる。一体となったくず石鹸は乾燥し徐々に固まってくるので一体となって再生されるくず石鹸の密度を上げる為、１日１回は押し蓋を押し付けた方が良い。
【発明の効果】
【００１４】
上記課題解決手段による技術的効果は次の通りである。
小さくて薄っぺらで使いづらかったくず石鹸がわずか１０日ほどで使いやすい一個の石鹸に変貌しており、本体ケースから取り出した石鹸は通常の石鹸箱に移し変え新品同様に使用することが出来る。
【図面の簡単な説明】
【００１５】
【図１】くず石鹸再生ケースの本体容器に、くず石鹸を入れて押し蓋をした、くず石鹸を再生する前の図
【図２】くず石鹸が、くず石鹸再生ケースの本体容器の中で一個の石鹸に再生された図
【図３】くず石鹸再生ケースの押し蓋の上面図
【図４】くず石鹸再生ケースの押し蓋の正面断面図
【図５】くず石鹸再生ケースの本体容器の正面図（一部、本体容器の断面を示してある）
【図６】くず石鹸再生ケースの本体容器の側面図
【図７】くず石鹸再生ケースの本体容器の底面図
【発明を実施するための形態】
【００１６】
本発明のくず石鹸再生ケースの本体容器（符号１）は内側に容器の底から開口部に向かって開口部が広くなるように全周に勾配（符号１２）を付け再生されて固まったくず石鹸（符号４）が容易に取り出しやすい構造になっている。又、重量軽減と素材節約の為薄くした本体容器の開口部全周を厚くし（符号１１）、壊れ難くした。
【００１７】
本体容器底部に水抜き孔（符号１５）を明け一体となったくず石鹸を乾燥し易くすると共に底部外面にくぼみ（符号１３）を作ることにより水が抜け易い形状にした。このくぼみは、素材節約と容器の重量軽減にも配慮した。
【００１８】
上記押し蓋のつまみ部分（符号６）は、つまみ上部が小さくなるように外径に勾配（符号7）をつけてある。これにより押し蓋成型後成型型から押し蓋を取り出し易くした。又、押し蓋の上部と下部にくぼみ（符号8，10）を作り重量軽減と素材節約に配慮すると共に、押し蓋に外縁枠（符号９）を設けて強度を上げ、かつくず石鹸を押さえ込み易くした。又、押し蓋に孔（符号５）を明け一体となったくず石鹸が乾燥し易くした。
【００１９】
本発明のくず石鹸再生ケースの素材は普通の石鹸箱と同様、硬質樹脂とし液体化した素材を型に流し込み固形化した状態で型をばらして取り出す大量生産向きに考慮された形状とした。本体容器と押し蓋を各々一体成型すれば安価で大量生産出来る。
【００２０】
本発明の、くず石鹸再生ケースは、従来の再生方法と違って使いこなして小さくなった種々形状のくず石鹸を本体容器（符号１）に開口部（符号１４）から投入して貯めていき、本体容器に７割から８割蓄積された時、水又はお湯をくず石鹸が全て浸かる程度に注ぎ込み押し蓋（符号２）をする。そして水又はお湯のかからない場所に置く。（尚、本体容器に注ぐ水又はお湯の温度は、何度でも良い。
【００２１】
二日ほど経って本体容器の中のくず石鹸が少し柔らかくなれば押し蓋を強く押し込み再現石鹸の形を整える。日が経つにつれて本体容器の中のくず石鹸は少しずつ乾いてくるので、毎日一回押し蓋を押し込み再生石鹸の密度を高める。押し蓋に孔（符号５）を明けた理由は、乾燥を促進する為である。
【００２２】
１０日ほど経って押し蓋を取ってみて石鹸が固まっていたら、お風呂のタイルなどの様な硬い平ら床にケースを逆さにして軽く打ちつけ石鹸を取り出す。バラバラだったくず石鹸はくっ付きあって一体になり一個の石鹸に再生されている。（押し蓋を取ったときまだ固まってない時は再度押し蓋をして固まるのを待つ。）
【００２３】
上記課題解決手段による技術的効果は次の通りである。
小さくて薄っぺらで使いづらかったくず石鹸がわずか１０日ほどで使いやすい一個の石鹸に変貌しており、本体ケースから取り出した石鹸は通常の石鹸箱に移し変え新品同様に使用することが出来る。
【００２４】
本発明のくず石鹸再生ケースの制作方法は、熱で溶かした硬質樹脂を型に流し込み本体容器及び押し蓋が固まって熱が冷めた時点で、型をばらし取り出す。
【００２５】
推奨する本体容器の大きさは底部内側で５９.５ｍｍから６９.５ｍｍｘ４９.５ｍｍから５９.５ｍｍ。開口部分が広くなるように本体容器内部に底部から開口部分に向かって全周にわたり勾配（符号１２）を付ける(推奨する勾配は１度３０分)。この勾配は本体容器の製作時、固まった本体容器を成型型より取り出す時、その作業性を良くすると共に再生され固まったくず石鹸を本体容器より取り出しやすくする。容器の深さは３２ｍｍから３８ｍｍを推奨する。
【００２６】
推奨する押し蓋の寸法は本体容器に合わして外周に於いては、本体容器の半分位まで挿入出来る大きさで６０ｍｍから７０ｍｍｘ５０ｍｍから６０ｍｍ。厚さは最も厚いところで４ｍｍから５ｍｍ。つまみの外形は１８ｍｍから２０ｍｍで先にいくほど細くなるように勾配（符号７）を付ける（推奨する勾配は１度）。この勾配は押し蓋の製作時、固まった押し蓋を成型型より取り出す時にその作業性を良くする為である。つまみの長さは２８ｍｍから３０ｍｍを推奨する。
【００２７】
家庭用の場合、本体容器や押し蓋の大きさを普通の石鹸サイズに合わした大きさにすれば、使用中の石鹸が余り小さくならない内に本体容器に入れる事で質の良い再生石鹸が出来る。
【００２８】
置き場所は家庭では風呂場、洗面所、手洗い場などに置いておくとよい。乾燥させる時もそのままで良いが、もっと乾燥し易い場所に移しても良い。会社においても同様である。
【００２９】
以上により低コストで再生する事が出来、置き場所も最適と言える。
【符号の説明】
【００３０】
１  本体容器
２  押し蓋  
３  再生前のくず石鹸
４  再生されて一個の石鹸として固まったくず石鹸
５  押し蓋の乾燥促進孔
６  押し蓋のつまみ
７  押し蓋のつまみ部の勾配
８  押し蓋の上面のくぼみ
９  押し蓋の外縁枠
１０  押し蓋の下面のくぼみ
１１  本体容器の口の部分の補強
１２  本体容器の勾配
１３  本体容器の底面のくぼみ
１４  本体容器の開口部    
１５  本体容器の水抜き孔
【図１】
2012062382.tif 000003
【図２】
2012062382.tif 000004
【図３】
2012062382.tif 000005
【図４】
2012062382.tif 000006
【図５】
2012062382.tif 000007
【図６】
2012062382.tif 000008
【図７】
2012062382.tif 000009